(57)【要約】【課題】断熱性が高い樹脂サッシにおいて、下枠上面からの排水性に優れていることにより水密性が高く、掃除のしやすい下枠上面がフラットに形成された屋外用樹脂サッシの提供を目的とする。【解決手段】樹脂製の上枠と下枠及び左右の縦枠で枠体を形成し、この枠体を建築物の屋外開口部に取り付け、当該枠体内に、樹脂製の上框と下框及び左右の縦框で構成される障子を装着した樹脂サッシにおいて、下枠上面に細い条状の溝を設けた平面状に形成した。  平面状に形成する手段としては、下枠ベース部材に複数の立設片を設け、この立設片の間に上面部材を取り付けて、上面にスライド溝を形成しつつ略フラット面に形成した。  このスライド溝に障子下框から垂下させたスライド片を嵌入させる。【選択図】  図４
2005030170.tif 000002
【特許請求の範囲】
【請求項１】
樹脂製の上枠と下枠及び左右の縦枠で枠体を形成し、この枠体を建築物の屋外開口部に取り付け、当該枠体内に、樹脂製の上框と下框及び左右の縦框で構成される障子を装着した樹脂サッシにおいて、下枠上面に細い条状の溝を設けた平面状に形成したことを特徴とする屋外用下枠フラットの樹脂サッシ。
【請求項２】
樹脂製の上枠と下枠及び左右の縦枠で枠体を形成し、この枠体を建築物の屋外開口部に取り付け、当該枠体内に、樹脂製の上框と下框及び左右の縦框で構成される障子を装着した樹脂サッシにおいて、略フラットにした平面状の下枠上面に条状のスライド溝を形成し、このスライド溝に、障子下框から垂下させたスライド片を嵌入させたことを特徴とする屋外用下枠フラットの樹脂サッシ。
【請求項３】
樹脂製の上枠と下枠及び左右の縦枠で枠体を形成し、この枠体を建築物の屋外開口部に取り付け、当該枠体内に、樹脂製の上框と下框及び左右の縦框で構成される障子を装着した樹脂サッシにおいて、下枠を、複数の立設片を設けた下枠ベース部材と、上面部材で構成し、この上面部材を着脱可能に当該下枠ベース部材に取り付けることで下枠上面をフラットに形成しつつ、スライド溝を形成し、このスライド溝に障子下框から垂下させたスライド片を嵌入させたことを特徴とする屋外用下枠フラットの樹脂サッシ。
【請求項４】
樹脂製の上枠と下枠及び左右の縦枠で枠体を形成し、この枠体を建築物の屋外開口部に取り付け、当該枠体内に、樹脂製の上框と下框及び左右の縦框で構成される障子を装着した樹脂サッシにおいて、下枠上面を、スライド溝を形成したフラット面に形成して、障子下框から垂下させたスライド片を嵌入し、下枠断面にホロー部を形成し、このスライド溝に流れ込んだ雨水を当該下枠ホロー部に誘導した後に屋外に排水するようにしたことを特徴とする屋外用下枠フラットの樹脂サッシ。
【請求項５】
樹脂製の上枠と下枠及び左右の縦枠で枠体を形成し、この枠体を建築物の屋外開口部に取り付け、当該枠体内に、樹脂製の上框と下框及び左右の縦框で構成される障子を装着した樹脂サッシにおいて、下枠上面を、スライド溝を形成したフラット面に形成して、障子下框から垂下させたスライド片を嵌入させ、障子下框の底部に水密部材を取り付けて、この障子下框の底部と下枠上面との間を摺接し、遮水させたことを特徴とする屋外用下枠フラットの樹脂サッシ。
【発明の詳細な説明】
【技術分野】
【０００１】
本発明は、断熱性に優れた屋外用樹脂サッシに関し、特に下枠上面を略フラット面に形成しても、この下枠上面からの排水性に優れ、掃除のしやすい樹脂サッシに係る。
【背景技術】
【０００２】
建築物の躯体の屋外開口部に設けられる窓や障子戸においては、断熱性に優れた樹脂サッシが採用されることがある。
特に、寒冷地においてはそのニーズが高い。
この種の樹脂サッシは、それぞれ樹脂製の上枠と下枠及び左右の縦枠で枠体を形成し、この枠体に、同じく樹脂製の上框と下框及び左右の縦枠で構成される框障子を装着したものである。
従来の樹脂サッシにおいては、障子をスライド開閉するための突条状レールを下枠上面に形成させていた。
【０００３】
例えば、特開２０００−１９２７３４号公報、特開２００３−１２９７５５号公報には、樹脂サッシの下枠上部にＨ形状や２垂構造の突条部が形成されたものが開示されている。
これは、樹脂サッシがアルミサッシに比較して強度が弱く、障子を支える突条部の強度を確保するためである。
また、この突条部により下枠上面から室内に雨水が浸入するのを防止するために、突条部を高く設定していた。
【０００４】
しかし、このように下枠の上部に突条部（突条レール）を設けた樹脂サッシを、人の出入する開口部、例えばバルコニーと室内の間の出入口に取り付けた場合には、足腰の弱い老人の歩行や車椅子の歩行の障害になっていた。
最近要求されつつあるユニバーサルデザインの観点からも、下枠上面のフラット化への要求が高い。
下枠の突条レール間の凹部にはゴミや埃が溜まりやすく、また、一度このようにゴミや埃が溜まると下枠の突条レールが障害になり、なかなか箒で掃き出すのが困難であった。
特に、湿気を伴って固くなると電気掃除機も使用出来ない状態になる。
【０００５】
また、このような従来の下枠上部に突条レールのある樹脂サッシを窓として取り付けた場合でも掃除の困難さは同様であった。
【０００６】
よって、下枠上面をフラット面にする要求は建築物の屋外出入口のみならず、窓においても高まりつつある。
しかし、建築物の屋外用出入口や窓には気密性とともに、高い水密性が要求され、特に暴風雨時には雨が戸や窓に強く吹き付けられ、下枠上面に大量の雨水が流れ込むため、従来はこのような品質を満足する下枠上面フラットの樹脂サッシは無かった。
【０００７】
【特許文献１】特開２０００−１９２７３４号公報
【特許文献２】特開２００３−１２９７５５号公報
【発明の開示】
【発明が解決しようとする課題】
【０００８】
本発明は、断熱性が高い樹脂サッシにおいて、下枠上面からの排水性に優れていることにより水密性が高く、掃除のしやすい下枠上面がフラットに形成された屋外用樹脂サッシの提供を目的とする。
【課題を解決するための手段】
【０００９】
請求項１記載に係る発明の技術的要旨は、樹脂製の上枠と下枠及び左右の縦枠で枠体を形成し、この枠体を建築物の屋外開口部に取り付け、当該枠体内に、樹脂製の上框と下框及び左右の縦框で構成される障子を装着した樹脂サッシにおいて、下枠上面に細い条状の溝を設けた平面状に形成した点にある。
このように、下枠上面から突条レールを無くしたのでバリアフリー化が図られる。
【００１０】
請求項２記載の発明は、樹脂製の上枠と下枠及び左右の縦枠で枠体を形成し、この枠体を建築物の屋外開口部に取り付け、当該枠体内に、樹脂製の上框と下框及び左右の縦框で構成される障子を装着した樹脂サッシにおいて、略フラットにした平面状の下枠上面に条状のスライド溝を形成し、このスライド溝に障子下框から垂下させたスライド片を嵌入させる構造を採用した屋外用下枠フラットの樹脂サッシとした。
【００１１】
このように、下枠のフラット上面に条状のスライド溝を設け、障子下框にスライド片を垂下させてこのスライド溝に嵌入させる構造を採用したことにより、上記スライド溝が障子の開閉操作においてガイドとして機能するとともに、雨水を流し込む排水溝としても機能することになる。
即ち、下枠上面のスライド溝に障子下框から垂下させたスライド片が嵌入しているので、下枠上面に流れ込んだ雨水がこのスライド片に遮られるようにしてスライド溝に流し込まれる。
【００１２】
請求項３に記載の発明は、樹脂製の上枠と下枠及び左右の縦枠で枠体を形成し、この枠体を建築物の屋外開口部に取り付け、当該枠体内に、樹脂製の上框と下框及び左右の縦框で構成される障子を装着した樹脂サッシにおいて、下枠を、複数の立設片を設けた下枠ベース部材と、上面部材で構成し、この上面部材を着脱可能に当該下枠ベース部材に取り付けることで下枠上面をフラットに形成しつつ、スライド溝を形成し、このスライド溝に障子下框から垂下させたスライド片を嵌入させた屋外用下枠フラットの樹脂サッシとしたことを特徴とする。
【００１３】
このように、下枠を複数の立設片を設けた下枠ベース部材と、上面部材で構成し、この上面部材を下枠ベース部材に着脱可能に取り付けたことにより、次のように作用する。
下枠上面がフラットなのでゴミや埃が溜まりにくく、仮に溜まったとしても掃除がしやすいが、狭い条状のスライド溝にゴミや埃が侵入する恐れはある。
従って仮にスライド溝から下枠内部に埃等が入ったとしても、この上面部材を取り外すことで容易に下枠内部の掃除やメンテナンスが出来る。
【００１４】
なお、請求項３記載の発明にて複数の立設片を設けた下枠ベース部材と上面部材で下枠上面をフラットに形成しつつ、スライド溝を形成したとは、下枠ベース部材に設けた立設片と上面部材で障子スライド片を両側から挟み込むようにしてスライド溝を形成してもよく、上面部材にスライド溝を形成してもよい趣旨である。
また、下枠ベース部材に複数の立設片を設けとしたのは、樹脂サッシが引き違い、片引き等により、又、障子下框に垂下させるスライド片の数によってもこの立設片の位置、数が異なるからである。
【００１５】
請求項４に記載の発明は、樹脂製の上枠と下枠及び左右の縦枠で枠体を形成し、この枠体を建築物の屋外開口部に取り付け、当該枠体内に、樹脂製の上框と下框及び左右の縦框で構成される障子を装着した樹脂サッシにおいて、下枠上面を、スライド溝を形成したフラット面に形成して、障子下框から垂下させたスライド片を嵌入し、下枠断面にホロー部を形成し、このスライド溝に流れ込んだ雨水を当該下枠ホロー部に誘導した後に屋外に排水するようにした。
【００１６】
このように、下枠断面形状としてホロー部を設けたことにより、樹脂サッシは一般にアルミサッシに比較して強度が弱いが、このホロー部が強度向上に役立つとともに、一度、雨水をホロー部に流し込むことによりスライド溝から下枠の下部に雨水が流れやすくなり、屋外の風による逆流も防止できる。
また、下枠のホロー部にアルミ形材を芯材として挿入することも出来る。
【００１７】
請求項５記載の発明は、樹脂製の上枠と下枠及び左右の縦枠で枠体を形成し、この枠体を建築物の屋外開口部に取り付け、当該枠体内に、樹脂製の上框と下框及び左右の縦框で構成される障子を装着した樹脂サッシにおいて、下枠上面を、スライド溝を形成したフラット面に形成して、障子下框から垂下させたスライド片を嵌入させ、障子下框の底部に水密部材を取り付けて、この障子下框の底部と下枠上面との間を摺接し、遮水させた。
【００１８】
上記発明の特徴は、障子下框の底部に水密部材を取り付けて、下枠上面を摺接させることで、障子下框の底部と下枠上面との間の隙間から外気が侵入するのを抑えたり、雨水の流れの勢いを弱くなるようにした点にある。
従って、この水密部材はパイルやモヘア構造が摺動性の観点からもよい。
【発明の効果】
【００１９】
本発明においては、断熱性の高い樹脂サッシの下枠上面をフラットにすることにより、建築物の出入口に取り付けた場合にバリアフリー化が図られ、窓に取り付けた場合には下枠上部から突条レールが無くなり掃除がしやすい。
【００２０】
フラットにする手段として、下枠を下枠ベース部材と上面部材で構成し、下枠ベース部材には複数の立設片を設け、この立設片の間に上面部材を取り付けることで下枠上面にスライド溝を形成しつつ、フラット化を図り、このスライド溝に障子下框から垂下させたスライド片を嵌入する構造にしたことにより、スライド溝が障子の開閉のガイドとしての機能を有するとともに、障子等に沿って下枠上面に流れ込んできた雨水がこのスライド溝に流れ込むという排水機能が生じる。
また、下枠断面にホロー部を設け、この部分に雨水を誘導した後に屋外に排水する構造とすることで雨水の室内側への逆流や外気の侵入を抑えることができる。
【００２１】
樹脂サッシはアルミサッシに比較して一般的に強度が弱いので、下枠全体として強度を強くなる構造が要求されるが、下枠ベース部材にホロー部を設けたり下枠ベース部材と上面部材の組み合わせにてホロー部を形成し、さらには上面部材にホロー部を形成することにより強度向上を図ることができる。
【００２２】
また、下枠上面のスライド溝は、幅の狭い条状になっているので、ゴミや埃は入りにくいが、仮に埃等が入って溜まった場合には上面部材が着脱可能に取り付けられているので上面部材を取り外すことにより容易に掃除ができる。
【発明を実施するための最良の形態】
【００２３】
本発明の望ましい実施の形態例を図９に示すような引き違い樹脂サッシに適用した場合について以下説明するが、片引き、両開き等の各種戸や窓に適用される。
樹脂サッシにおいては、図９に示すように上枠１１、下枠１２、左縦枠１３、右縦枠１４を４５°コーナーカットにして溶着、接着等により枠体にされる。
また、断熱性を向上させるために障子には二重ガラス２５（２５ａ、２５ｂ）、３５（３５ａ、３５ｂ）が装着されている（図１、図２参照）。
図９は室内側から見た図であり、外障子２０は上框２１、下框２２、左縦框２３及び内障子３０に隠れて見えない右縦框２４にて枠組されている。
内障子３０も上框３１、下框３２、左縦框３３、右縦框３４にて略方形の枠が形成されている。
これらの障子もコーナー部にて４５°突合せ溶着、接着等されている。
なお、４０はクレセントである。
【００２４】
図１に縦断面図、図２に横断面図を示す。
建築物の室内とバルコニー等の屋外の出入口に樹脂サッシを取り付けた例である。
下枠１２は躯体５にアンカーボルト５ａ等にて支持され、下枠１２の上面は室内フロアー１とバルコニー側のデッキ、グレーチング２等とがほぼ水平に配置されたバリアフリー構造になっている。
下枠１２の下部は、外壁６との間がコーキング６ａシールされている。
【００２５】
上枠１１は、躯体４にアンカーボルト４ａ等で取り付けられ、室内側は天板３に連結され、屋外側は外装材７との間がコーキング７ａでシールされている。
【００２６】
図２に示すように、左縦枠１３及び右縦枠１４がそれぞれ躯体４に取り付けられ、外装材７との間がコーキング７ａでシールされている。
このようにして上枠１１、下枠１２、左縦枠１３、右縦枠１４にて枠体１０が形成されている。
この枠体内に外障子２０、内障子３０がスライド可能に装着され、クレセント４０にて施錠可能になっている。
【００２７】
本発明の特徴部である下枠付近の拡大図を図３に示す。
下枠１２は、下枠ベース部材１２ａに立設片１２ｂを設け、それに上面部材１２ｄを取り付けて下枠上面に突条レールのないフラット面に形成されている。
下枠ベース部材の立設片１２ｂと上面部材１２ｄの組み合わせにより必要数のスライド溝１２ｃが形成される。
一方、外・内障子下框２２、３２からは、スライド片２２ａ、３２ａが垂下され、上記スライド溝に嵌入する構造になっている。
図３に示す例では、障子下框から２つのスライド片（２２ａ、２２ａ）、（３２ａ、３２ａ）が垂下されているが、スライド片の数や位置は特に限定されるものでなく応用例を後述する。
また、図３に示す例では下枠ベース部材１２ａに設けた立設片１２ｂの上部を障子に取り付けた戸車２２ｃ、３２ｃが走行する構造になっているが、上面部材１２ｄの上面を走行する構造にしてもよい。
なお、障子の戸車が上面部材の上部を走行しないようにし、ベース部材の立設片の上部を走行する構造を採用すると、上面部材１２ｄがビス等の係止部材１２ｅで着脱可能に取り付けられているので、障子を外すことなく上面部材を取り外して掃除等ができる。
なお、この上面部材１２ｄは下枠ベース部材に突起を設けて嵌着させてもよい。
また、下枠ベース部材には必要に応じてホロー部１２ｆが形成されている。
【００２８】
次に、図４及び図５の基づいて排水経路を説明する。
図４は下枠断面方向の流れを示し、図５に平面的な流れ方向を示す。
なお、図５（イ）がＡ−Ａ線断面拡大図を示し、この部分は外障子が閉じた状態ではこの外障子がなく、内障子で室内外を仕切っている部分である。
図５（ロ）は、Ｂ−Ｂ線断面拡大図を示し、この部分は外障子で室内外を仕切っている部分である。
図４と図５を照らし合わせて説明すと、下枠に形成される排水用の凹部は室内側よりの排水凹部１２ｐ、２つの立設片１２ｂ１、１２ｂ２の間の排水凹部１２ｑ、屋外側よりの１２ｒの大きくは３つの区分に分けられる。
ここで、排水凹部１２ｑは図４に示すように、さらに中央部の上面部材１２ｄにより仕切られるが、上面部材の下部（下枠ベース部材への当り面）を介して水の流れが確保されている。
また、室内側よりの立設片１２ｂ２には、排水孔１２ｍが設けられ、また屋外側よりの立設片１２ｂ１にはその立設片の根元付近よりホロー部１２ｆに向けて排水管１２ｇが設けられている。
また、排水凹部１２ｑには図４に示すように障子スライド片の下端部に摺接するモヘア等のシール部材１２ｊが取り付けられている。
これにより、排水凹部１２ｑを経由した外気侵入や雨水が室内側に浸入するのを抑えている。
また、下框の底部にはパイル等で形成した水密部材２２ｂ、３２ｂが取り付けられ、下枠上面との間の隙間を摺接し、遮水している。
【００２９】
下枠上面に流れ込んできた雨水は、外障子及び内障子のスライド片で仕切られたスライド溝に流れ込み、図４に示す逆止弁１２ｈ付排水管１２ｇや排水孔１２ｉ、１２ｋを経由して屋外に排水される。
室内側よりの排水凹部１２ｐには原則的には雨水が流れ込まないが、仮に僅かながら漏れた場合や、障子の室内側に結露水が発生した場合にそれらの水が立設片１２ｂ２に設けた排水孔１２ｍを介して屋外に排水される。
【００３０】
図６〜図８には下枠ベース部材と上面部材の組み合わせ、及び障子下框のスライド片の位置、水密部材の配置等の変更例を示す。
図６に示す例は、障子下框からそれぞれ１つのスライド片Ａ２２ａ、Ａ３２ａを垂下させ、これに合わせて下枠ベース部材１２ａと上面部材Ａ１２ｄでスライド溝を形成している。
また、図６に示す例では上面部材Ａ１２ｄがホロー断面形状になっていて、下枠ベース部材に取り付けた際に下枠の強度が高くなる。
図７に示す例は、障子下框の両側にスライド片Ｂ２２ａ、Ｂ３２ａを垂下させ、その内側に水密部材Ｂ２２ｂ、Ｂ３２ｂを配設した例を示し、また、スライド溝を上面部材にて形成した例でもある、
図８は、スライド片Ｃ２２ａ、Ｃ３２ａはそれぞれ１つを、水密部材Ｃ２２ｂ、Ｃ３２ｂより室内側に配設した例を示す。
【図面の簡単な説明】
【００３１】
【図１】本発明に係る樹脂サッシの縦断面図を示す。
【図２】本発明に係る樹脂サッシの横断面図を示す。
【図３】下枠付近の断面図を示す。
【図４】雨水等の流れを示す。
【図５】雨水、結露水等の流れを平面的に示した図を示す。
【図６】下枠構造の他の例を示す。
【図７】下枠構造の他の例を示す。
【図８】下枠構造の他の例を示す。
【図９】樹脂サッシの全体図を示す。
【符号の説明】
【００３２】
１      フロアー
２      グレーチング（デッキ）
３      天板
４、５  躯体
４ａ、５ａ  アンカーボルト
６      外壁
６ａ    コーキング
７      外装材
７ａ    コーキング
１０    枠体
１１    上枠
１２    下枠
１３    左縦枠
１４    右縦枠
２０    外障子
２１    上框
２２    下框
２３    左縦框
２４    右縦框
３０    内障子
３１    上框
３２    下框
３３    左縦框
３４    右縦框
１２ａ  下枠ベース部材
１２ｂ  下枠ベース部材の立設片
１２ｂ１  外障子用立設片
１２ｂ２  内障子用立設片
１２ｃ    スライド溝
１２ｄ    上面部材
１２ｅ    係止部材（ビス）
１２ｆ    下枠ベース部材のホロー部
１２ｇ    排水管
１２ｈ    排水逆止弁
１２ｉ    排水孔
１２ｊ    シール部材
１２ｋ    屋外排水孔
１２ｍ    排水孔
１２ｐ    室内側より排水凹部
１２ｑ    中央部排水凹部
１２ｒ    屋外側より排水凹部
２２ａ    外障子スライド片
２２ｂ    水密部材
２２ｃ    戸車
３２ａ    内障子スライド片
３２ｂ    水密部材
３２ｃ    戸車
４０      クレセント
Ａ１２ｄ、Ｂ１２ｄ、Ｃ１２ｄ    上面部材
Ａ２２ａ、Ｂ２２ａ、Ｃ２２ａ    外障子スライド片
Ａ３２ａ、Ｂ３２ａ、Ｃ３２ａ    内障子スライド片
【図１】
2005030170.tif 000003
【図２】
2005030170.tif 000004
【図３】
2005030170.tif 000005
【図４】
2005030170.tif 000006
【図５】
2005030170.tif 000007
【図６】
2005030170.tif 000008
【図７】
2005030170.tif 000009
【図８】
2005030170.tif 000010
【図９】
2005030170.tif 000011